(57)【要約】【課題】幅方向・奥行方向・高さ方向の３方向全てに寸法調整が可能である伸縮式棚を提供する。【解決手段】棚受け２は、２つの棚受け部材２１，２２に分割されており、一方の棚受け部材２１の内側に他方の棚受け部材を挿入し、所定の位置までスライド移動させることにより奥行方向寸法を調整可能とし、棚板３は、２つの棚板部材３１、３２に分割されており、一方の棚板部材３１の内側に他方の棚板部材３２を挿入し、任意の位置までスライド移動させることにより幅方向寸法を調整可能とし、脚部４は、長さの異なるパイプに取り換えることにより高さ方向寸法を調整可能とする。【選択図】図１
2020010727.tif 000002
【特許請求の範囲】
【請求項１】
脚部により支持される左右一対の棚受け間に複数枚の棚板を架設して構成される棚であって、
前記棚受けは、２つの棚受け部材に分割されており、一方の棚受け部材の内側に他方の棚受け部材を挿入し、前記棚板の架設枚数に応じて所定の位置までスライド移動させることにより奥行方向寸法を調整可能とし、
前記棚板は、２つの棚板部材に分割されており、一方の棚板部材の内側に他方の棚板部材を挿入し、設置場所のサイズに応じて任意の位置までスライド移動させることにより幅方向寸法を調整可能とし、
前記脚部は、長さの異なるパイプに取り換えることにより高さ方向寸法を調整可能とすることを特徴とする伸縮式棚。
【請求項２】
前記各棚受け部材の内側には、前記棚板の端部を挿入して保持する複数の凹部が所定の間隔をおいて連設されており、一方の棚受け部材の内側に他方の棚受け部材を挿入してスライド移動させた際に、前記各棚受け部材の前記各凹部が対向する位置を適宜変えることにより奥行方向寸法を調整可能とすることを特徴とする請求項１に記載の伸縮式棚。
【請求項３】
前記各棚受け部材の端部内側及び外側には、両端に位置する前記棚板の端部を固定するための孔部が設けられており、前記各棚受け部材の上側には、両端より内側に位置する前記棚板の端部を固定するための孔部が設けられており、前記各棚受け部材の端部下側には、前記脚部の上端部を固定する螺子部が設けられていることを特徴とする請求項２に記載の伸縮式棚。
【請求項４】
前記脚部の下端部には、アジャスターが取り付けられていることを特徴とする請求項１乃至請求項３のいずれか１項に記載の伸縮式棚。
【発明の詳細な説明】
【技術分野】
【０００１】
本発明は、押入やクローゼットなどの収納空間のスペースに応じて幅方向・奥行方向・高さ方向の３方向全てに寸法調整ができる伸縮式棚に関するものである。
【背景技術】
【０００２】
従来から、押入やクローゼットなどの収納空間のスペースを有効活用するための置棚が公知になっており、その中で棚部分の長さを伸長して棚面積を拡大することができるようにした伸縮式棚の例としては、以下のようなものが提案されている。
【０００３】
特開平１１−１８７９４１号公報（特許文献１）には、左右の支脚間に架橋した棚受用横桟上に適宜着脱自在な取替棚を掛止してなる置棚において、棚受用横桟は外管に内管を伸縮可能に挿通してなると共に、内管側の支脚から外管にかけて水平に支持し、かつ外管に対する支持部を当該外管の伸縮に応じて摺動自在とした固定棚を設ける「置棚」が提案されている。
【０００４】
実用新案登録第３１１５６２２号公報（特許文献２）には、簡易な棚の伸縮構造を実現でき、簡易構造化による強度落ちの懸念を解消した伸縮式載置棚を提供することを目的とし、左右一対の棚体の裏面側前後部に夫々ガイド桟挿入用空隙部とガイド桟挿入孔若しくはガイド桟係止部とからなるガイド桟挿入部を設け、この各棚体裏面側の前後部夫々のガイド桟挿入部間にガイド桟をスライド自在に挿入して、前記左右の棚体を前記ガイド桟により連結すると共に、この前後のガイド桟に沿って左右一対の棚体を左右方向に接離スライド移動可能に設け、この各棚体を離反スライド移動させて各棚体間に隙間を生じた際、この隙間から露出する前記前後のガイド桟に着脱自在に掛止し得る補助棚体を備えて、この補助棚体と前記各棚体により棚面積を伸長拡大し得るように構成したことを特徴とする「伸縮式載置棚」が提案されている。
【０００５】
特開２００４−２４２９９４号公報（特許文献３）には、棚自体を伸縮することができ従来より構造上安定である収納ラックを提供することを目的とし、棚部と複数の支柱とを具備し、棚部は対向する荷受部材をスライド可能に接合させて成り、両荷受部材を相互にスライドさせることにより伸縮できるようにしていると共に、荷受部材は略スライド方向支持材とこの支持材に交叉する荷重支持材とを有し、荷受部材のうち一方の荷受部材の荷重支持材は両端が固定されていると共に他方の荷受部材の略スライド方向支持材を支持し、一方の荷受部材の略スライド方向支持材は他方の荷受部材の荷重支持材を支持するようにしたことを特徴とする「収納ラック」が提案されている。
【先行技術文献】
【特許文献】
【０００６】
【特許文献１】特開平１１−１８７９４１号公報
【特許文献２】実用新案登録第３１１５６２２号公報
【特許文献３】特開２００４−２４２９９４号公報
【発明の概要】
【発明が解決しようとする課題】
【０００７】
しかし、上記特許文献１〜３に記載されている伸縮式棚は、幅方向及び高さ方向のみ伸縮機能を持ち合わせたものであるため、奥行方向の寸法調整はできないという問題を有している。
【０００８】
そこで、本発明は、上記課題を解決するため本願発明者が鋭意検討を重ねて、設置場所の収納空間のスペースの有効活用を図るため、簡単な構造でありながら幅方向・奥行方向・高さ方向の３方向全てに寸法調整が可能である伸縮式棚を提供することを目的とする。
【課題を解決するための手段】
【０００９】
上記の課題を解決するために、請求項１に記載の発明は、脚部により支持される左右一対の棚受け間に複数枚の棚板を架設して構成される棚であって、前記棚受けは、２つの棚受け部材に分割されており、一方の棚受け部材の内側に他方の棚受け部材を挿入し、前記棚板の架設枚数に応じて所定の位置までスライド移動させることにより奥行方向寸法を調整可能とし、前記棚板は、２つの棚板部材に分割されており、一方の棚板部材の内側に他方の棚板部材を挿入し、設置場所のサイズに応じて任意の位置までスライド移動させることにより幅方向寸法を調整可能とし、前記脚部は、長さの異なるパイプに取り換えることにより高さ方向寸法を調整可能とすることを特徴とする。
【００１０】
また、請求項２に記載の発明は、請求項１に記載の前記各棚受け部材の内側には、前記棚板の端部を挿入して保持する複数の凹部が所定の間隔をおいて連設されており、一方の棚受け部材の内側に他方の棚受け部材を挿入してスライド移動させた際に、前記各棚受け部材の前記各凹部が対向する位置を適宜変えることにより奥行方向寸法を調整可能とすることを特徴とする。
【００１１】
また、請求項３に記載の発明は、請求項２に記載の前記各棚受け部材の端部内側及び外側には、両端に位置する前記棚板の端部を固定するための孔部が設けられており、前記各棚受け部材の上側には、両端より内側に位置する前記棚板の端部を固定するための孔部が設けられており、前記各棚受け部材の端部下側には、前記脚部の上端部を固定する螺子部が設けられていることを特徴とする。
【００１２】
また、請求項４に記載の発明は、請求項１乃至請求項３に記載の前記脚部の下端部には、アジャスターが取り付けられていることを特徴とする。
【発明の効果】
【００１３】
以上のように、本発明によれば、棚受けに架設する棚板の枚数に応じて奥行方向寸法を調整し、設置場所のサイズに応じて棚板をスライド移動させることにより幅方向寸法を調整し、脚部を長さの異なるパイプに取り換えることにより高さ方向寸法を調整することができる。このように、本発明は３方向全てに寸法調整が可能であるため、あらゆる寸法の収納空間に適用できる。
【００１４】
また、奥行方向寸法の調整について、各棚受け部材の内側に棚板の端部を挿入して保持する複数の凹部が連設され、一方の棚受け部材の内側に他方の棚受け部材を挿入してスライド移動させて前記各凹部の対向位置を適宜変える構成を採用したことにより、簡単な構造で強度を確保できる。
【００１５】
また、棚受けと棚板を固定するための孔部、棚受けと脚部を固定する螺子部を所定箇所に設けることにより、簡単な構造で組立作業が容易になる。
【００１６】
また、脚部の下端部にアジャスターが取り付けられているので、設置した際のガタつきを抑制して安定性を確保できる。
【図面の簡単な説明】
【００１７】
【図１】本発明にかかる伸縮式棚の最小状態を示す説明図である。
【図２】図１の伸縮式棚の最大状態を示す説明図である。
【図３】図１に示す棚受けの説明図である。
【図４】棚受けのスライド状態を示す説明面である。
【図５】図１に示す棚板の説明図である。
【図６】棚板のスライド状態を示す説明図である。
【図７】図１に示す脚部の説明図である。
【図８】接合箇所の断面構造を示す説明図である。
【発明を実施するための形態】
【００１８】
以下、本発明の実施形態の一例について図を参酌しながら説明する。なお、本発明の伸縮式棚の各構成については、以下の実施例に限定されるものではなく、使用状況によって適宜変更することができる。
【００１９】
図１は、本発明にかかる伸縮式棚の最小状態を示す説明図（ａ：正面図、ｂ：平面図、ｃ：側面図）である。また、図２は、本発明にかかる伸縮式棚の最大状態を示す説明図（ａ：正面図、ｂ：平面図、ｃ：側面図）である。  
【００２０】
図１及び図２に示すように、本発明にかかる伸縮式棚１は、４本の脚部４により支持される左右一対の棚受け２の間に、棚板３（最少状態５枚〜最大状態８枚）を架設して構成される。なお、棚板３の枚数は、図示する内容に限定されるものではなく、適宜枚数を増減させてもよい。棚受け２は、後述するように２つの棚受け部材２１，２２に分割されており、一方の棚受け部材２１の内側に他方の棚受け部材２２を挿入し、棚板３の架設枚数に応じて所定の位置までスライド移動させることにより奥行方向寸法を調整できる。また、棚板３は、後述するように２つの棚板部材３１，３２に分割されており、一方の棚板部材３１の内側に他方の棚板部材３２を挿入し、設置場所のサイズに応じて任意の位置までスライド移動させることにより幅方向寸法を調整できる。また、脚部４は、長さの異なるパイプに取り換えることにより高さ方向寸法を調整できる。このように、本発明にかかる伸縮式棚１は、３方向全てに寸法調整が可能であるため、あらゆる寸法の収納空間に適用できる。
【００２１】
図３は、図１に示す棚受けの説明図（ａ：正面図  ｂ：平面図  ｃ：左側面図  ｄ：右側面図）である。図３に示すように、棚受け２は、２つの棚受け部材２１，２３に分割されている。図３（ａ）に示すように、各棚受け部材２１，２２の内側には、棚板３の端部を挿入して保持する複数の凹部２１０、２２０が所定の間隔をおいて連設されており、一方の棚受け部材２１の内側に他方の棚受け部材２２を挿入してスライド移動させた際に、各棚受け部材２１、２２の各凹部２１０，２２０が対向する位置を適宜変えることにより奥行方向寸法を調整できる。
【００２２】
また、棚受け部材２１、２２の凹部２１０、２２０には、図３に示すように、棚板３を挿入して固定するための孔２１１、２１２、２１３、２２１,２２２、２２３、２２４が形成される。孔２１１、２２１は、内側に位置する棚板３を上方向から係止する箇所に所定の間隔をおいて連設される。また、孔２１２、２２２、２２３は、端に位置する棚板３を横方向から係止する箇所に形成される。さらに、孔２１３、２２４は、端に位置する棚板３を前方向から係止する箇所に形成される。また、棚受け部材２１、２２の端部下側には、脚部４の上端部を固定するための螺子部２１５，２２５が設けられる。
【００２３】
図４は、棚受けのスライド状態を示す説明面である。棚板３の架設枚数に応じて所定の位置までスライド移動させる。
図４（ａ）：棚板５枚仕様（凹部２１０と凹部２２０が４つ重なる）
図４（ｂ）：棚板６枚仕様（凹部２１０と凹部２２０が３つ重なる）
図４（ｃ）：棚板７枚仕様（凹部２１０と凹部２２０が２つ重なる）
図４（ｄ）：棚板８枚仕様（凹部２１０と凹部２２０が１つ重なる）
【００２４】
図５は、図１に示す棚板の説明図（ａ：正面図  ｂ：底面図  ｃ：左側面図  ｄ：右側面図）である。図６は，棚板のスライド状態を示す説明図（ａ：最少状態，ｂ：最大状態）である。図５に示すように、棚板３は、２つの棚板部材３１，３２に分割されており、一方の棚板部材３１の内側に他方の棚板部材３２を挿入し、設置場所のサイズに応じて任意の位置までスライド移動させることにより幅方向寸法を調整できる（図６参照）。
【００２５】
また、棚板部材３１，３２を棚受け部材２１，２２の凹部２１０、２２０に挿入して固定するための孔３１０（内用）、３１１（端用）、３１２（端用）、３２０（内用）、３２１（端用）、３２２（端用）が形成される。内側に位置する棚板３には、棚受け部材２１、２２の孔２１１、２２１と対向する箇所に孔３１０（内用）、３２０（内用）が形成される。また、端に位置する棚板３には、棚受け部材２１、２２の孔２１２、２２３、２１３、２２４と対向する箇所に孔３１１（端用）、３２１（端用）、３１２（端用）、３２２（端用）が形成される。
【００２６】
図７は、図１に示す脚部の説明図である。図７に示すように、脚部４の上端部には、棚受け部材２１，２２の螺子２１５、２２５を螺子止めする孔４１が設けられ、脚部４の下端部には、アジャスター４３の先端部を螺子止めする孔４２が設けられる。脚部４は、長さの異なるパイプに取り換えることにより高さ方向寸法を調整できる。
【００２７】
図８は、接合箇所の断面構造を示す説明図（ａ：端に位置する棚板の接合箇所の横方向断面、ｂ：内側に位置する棚板の縦方向断面）である。図８（ａ）に示すように、端（左前）に位置する棚板３については、棚受け２の孔２１２（２２２）、２１３と棚板３の孔３１１、３１２の位置を合わせてボルト５、６により締結する。また、図８（ｂ）に示すように、内側（左）に位置する棚板３については、棚受け２の孔２１１、２２１と棚板３の孔３１０の位置を合わせてクリップ７を差し込んで固定する。
【００２８】
次に、本発明にかかる伸縮式棚１の組立手順について説明する。  
（Ｓｔｅｐ１）棚受け部材２１に棚受け部材２２を差し込み（図３参照）、左右一対の棚受け２を形成する。このとき、棚板３の架設枚数によりスライド位置を決める（図４参照）。
（Ｓｔｅｐ２）端用の棚板部材３１に端用の棚板部材３２を差し込み（図５参照）、両端に位置する棚板３を形成する。
（Ｓｔｅｐ３）左右一対の棚受け２に、両端に位置する棚板３をそれぞれ差し込む。
（Ｓｔｅｐ４）棚受け２と棚板３を横方向から係止する孔２１２（２２２）、２２３、３１１，３２１の位置を合わせてボルト５を仮締めする。
（Ｓｔｅｐ５）棚受け２と棚板３を前方向及び後方向から係止する孔２１３、２２４、３１２、３２２の位置を合わせてボルト６を仮締めする。
（Ｓｔｅｐ６）全体の位置を整えて各ボルト５，６を締め付ける（図８（ａ）参照）。
（Ｓｔｅｐ７）各脚部４にアジャスター４３を螺子止めする。
（Ｓｔｅｐ８）脚部４を棚受け部材２１，２２の螺子２１５、２２５に螺子止めする。
（Ｓｔｅｐ９）脚部を４本取り付けて手前方向にひっくり返す。
（Ｓｔｅｐ１０）内用の棚板部材３１に内用の棚板部材３２を差し込み（図５参照）、内側に位置する棚板３を形成する。このとき、棚受け２と棚板３を上方向から係止する孔３１０、３２０が両端上部に位置するようにする。
（Ｓｔｅｐ１１）棚板３を挿入する棚受け２の凹部及び孔がズレていないかを確認する。このとき、凹部及び孔の位置がズレている場合はボルト５，６を緩めて調整する。
（Ｓｔｅｐ１２）内側に位置する棚板３の両端を片方ずつ対向する棚受け２の凹部にそれぞれ差し込む。
（Ｓｔｅｐ１３）棚板３を使用する数だけ取り付ける（最少状態５枚〜最大状態８枚）。
（Ｓｔｅｐ１４）棚受け２と内側に位置する棚板３の孔２１１、２２１、３１０、３２０の位置を合わせてクリップ７を差し込む（図８（ｂ）参照）。
（Ｓｔｅｐ１５）設置場所のサイズに応じて任意の寸法に棚板３をスライド移動させる。
（Ｓｔｅｐ１６）ガタつきをアジャスター４３で調整する。
【符号の説明】
【００２９】
１  伸縮式棚
２  棚受け
２１  棚受け部材
２１０  凹部
２１１  孔
２１２  孔
２１３  孔
２１５  螺子
２２  棚受け部材
２２０  凹部
２２１  孔
２２２  孔
２２３  孔
２２４  孔
２２５  螺子
３  棚板
３１棚板部材
３１０  孔
３１１  孔
３１２  孔
３２棚板部材
３２０  孔
３２１  孔
３２２  孔
４  脚部
４１  孔
４２  孔
４３  アジャスター
５  ボルト
６  ボルト
７  クリップ
【図１】
2020010727.tif 000003
【図２】
2020010727.tif 000004
【図３】
2020010727.tif 000005
【図４】
2020010727.tif 000006
【図５】
2020010727.tif 000007
【図６】
2020010727.tif 000008
【図７】
2020010727.tif 000009
【図８】
2020010727.tif 000010